(57)【要約】受信機（１００）は入力信号の検出された電力レベルに基づいて全体的な利得を調整する。受信機は入力信号のダイナミックレンジの範囲内の異なる検出レンジで動作する２台の検出器（Ｄ１，Ｄ２）を用いて構築される。入力信号の実際の電力レベルが分解能レンジの一方の範囲内に入るならば、自動利得制御は受信機の利得を対応する利得値に調整する。さもなければ、２台の検出器の一方の分解能レンジはシフトされ、最終的には電力レベルが含まれるダイナミックレンジの部分をカバーするため縮小される。受信機の利得はその後に一時的に調整され、新たな測定が新しい分解能レンジを使用する検出器だけによって実行される。ＡＧＣはその後に、修正された検出器によって行われる測定に基づいて再調整される。
2006522525.tif 000002
【特許請求の範囲】
【請求項１】
高ダイナミックレンジを有する入力信号を受信する入力と、
前記入力信号を増幅する第１の増幅構成と、
前記入力信号の電力レベルが第１の分解能レンジの範囲内に入るならば、前記第１の増幅構成を通過した後に前記入力信号の前記電力レベルを決定するために構成された第１の検出器と、
前記第１の増幅構成に接続された第２の増幅構成と、
前記入力信号の前記電力レベルが前記第１の分解能レンジよりも低い第２の分解能レンジの範囲内に入るならば、前記入力信号が前記第２の増幅構成をさらに通過した後に前記入力信号の前記電力レベルを決定するために構成された第２の検出器と、
前記第１の検出器または前記第２の検出器によって決定された前記電力レベルに基づき、かつ、前記第１の検出器および前記第２の検出器のそれぞれの出力状態にさらに基づいて、前記第１の増幅構成および前記第２の増幅構成のそれぞれの利得を制御する利得制御ユニットとを具備する装置。
【請求項２】
前記第１の分解能レンジおよび前記第２の分解能レンジが重複しない、請求項１に記載の装置。
【請求項３】
前記第１の検出器および前記第２の検出器のそれぞれの出力からの前記電力レベルを含む前記ダイナミックレンジの一部を決定し、前記一部と重なる新しい分解能レンジで動作するように前記２つの検出器の一方のセッティングを変更するコントローラをさらに具備し、
前記一部が前記第１の分解能レンジおよび前記第２の分解能レンジに含まれないとき、前記コントローラが前記新しい分解能レンジで動作する前記検出器からの前記入力信号の前記電力レベルを決定する前に、前記利得制御ユニットは前記第１の増幅構成および前記第２の増幅構成のそれぞれの利得をさらに調整する、請求項１に記載の装置。
【請求項４】
前記電力レベルが前記第１の分解能レンジの下限値と前記第２の分解能レンジの上限値との間にあるならば、前記利得制御ユニットは前記第１の増幅構成および前記第２の増幅構成の利得を前記上限値と前記下限値との間に位置する選択された電力値に関連したそれぞれ既知の利得値へ調整する、請求項３に記載の装置。
【請求項５】
前記入力信号の前記電力レベルが前記第２の分解能レンジの下限値を下回るならば、前記利得制御ユニットは前記第１の増幅構成および前記第２の増幅構成の利得を前記第２の分解能レンジの前記下限値よりも低い電力値に関連したそれぞれ既知の利得値へ調整する、請求項３に記載の装置。
【請求項６】
前記入力信号の前記電力レベルが前記第１の分解能レンジの上限値を上回るならば、前記利得制御ユニットは前記第１の増幅構成および前記第２の増幅構成の利得を前記第１の分解能レンジの前記上限値よりも高い電力値に関連したそれぞれ既知の利得値へ調整する、請求項３に記載の装置。
【請求項７】
前記第１の検出器または前記第２の検出器によって決定される前記電力レベルは前記第１の検出器または前記第２の検出器のそれぞれの動作分解能に依存する、請求項１に記載の装置。
【請求項８】
第１のアンテナおよび第２のアンテナを使用してアンテナダイバーシティを適用するアンテナダイバーシティコントローラをさらに具備する、請求項１に記載の装置。
【請求項９】
第２の増幅段を伴う第１の増幅段に接続され、高ダイナミックレンジを有する入力信号を受信する入力を具備した受信機の利得を調整する方法であって、
前記入力で受信されるときの前記入力信号の電力レベルが第１の検出器と関連した第１の分解能レンジに含まれる場合に限り、前記第１の増幅段による増幅後に前記入力信号の前記電力レベルを前記第１の検出器によって決定するステップと、
前記入力で受信されるときの前記入力信号の前記電力レベルが第２の検出器と関連した第２の分解能レンジに含まれる場合に限り、前記第２の増幅段によるさらなる増幅後に前記入力信号の前記電力レベルを前記第２の検出器によって決定するステップと、
前記第１の検出器または前記第２の検出器によって決定された前記電力レベルに基づき、かつ、前記第１の検出器および前記第２の検出器のそれぞれの出力にさらに基づいて、前記第１の増幅段および前記第２の増幅段のそれぞれの利得を調整するステップと、を含む方法。
【発明の詳細な説明】
【技術分野】
【０００１】
本発明は一般に、ワイヤレス通信システムとＷＬＡＮトランシーバおよび受信機における自動利得制御の分野に関する。本発明はより具体的には２つの並列した電力レベル検出器を使用する自動利得制御の新しい方式に関する。
【背景技術】
【０００２】
通信装置は、ワイヤレス媒体を介して信号を送信するときの電力を調節する必要があり、ワイヤレス媒体による伝送は非一貫性かつ予測不能であるため、通信装置は内部回路をこの入力信号の特性に適合させるために入力信号の電力レベルをも決定しなければならない。電力レベルの決定は、入力信号に含まれるデータを効率的に後で検出し処理することを確実にするために、装置が受信システムの全体的な利得を制御し調整することを可能にさせる。このために、多数の解決策が、デジタル領域への変換および受信機のベースバンド部へのさらなる送信の前に、入力信号が減衰または増幅されるように、受信機のＲＦ部の利得を調整するために検討されている。従来型のデジタル・アナログ変換器（ＤＡＣ）は、動作レンジが制限され、これらのレンジの外側にデジタル化誤差を生じさせる場合がある。たとえば、受信信号が非常に弱い場合、ＤＡＣで使用される量子化レベルはアナログ信号値を正確に表現するためには高すぎる。同じように、入力信号が非常に強い場合、ＤＡＣの量子化幅は入力信号の上部の切捨てを生じる。したがって、自動利得制御は、入力信号がＤＡＣに到達したときに、調整された信号がＤＡＣの量子化ウィンドウによりよく適合し、またシステムの信号対雑音比を最適化するように、入力信号の強度を調整することを可能にする。
【発明の開示】
【発明が解決しようとする課題】
【０００３】
したがって、上記の問題点を考慮して、信号の受信時にその電力レベルに基づいて通信システム全体の利得を、適時に、調整するシステムおよび方法が必要である。
【課題を解決するための手段】
【０００４】
発明者は、検出スキームは２つの電力レベル検出器を用いて設計され、その分解能レンジおよび受信機回路内での位置が入力信号の電力レベルの信頼できる高速検出を可能にさせることに気付いた。発明者は、したがって、入力信号を受信する入力を具備する装置を提案した。入力信号は直列に置かれた第１および第２の増幅段を通過する。第１の検出器は第１の増幅段の出力に接続され、電力レベルが第１の検出器の第１の分解能レンジの範囲内である場合に、入力信号の電力レベルの測定を行うように構成される。同様に、第２の電力検出器は第２の増幅段の出力に置かれ、第２の検出器の第２の分解能レンジの範囲内に入る場合に限り、入力信号の電力レベルを測定する能力を有する。電力レベルが第１および第２の検出器の両方の分解能レンジに入るならば、制御ユニットは２つの検出器の一方の分解能レンジを新しい分解能レンジへ修正し、ならびに、システム全体の利得、すなわち、第１の増幅段および第２の増幅段のそれぞれの利得は、新しい分解能レンジに含まれる電力値に関連した既知の利得値へ調整される。システムの利得が既知の値に設定されると、変更された分解能レンジを有する検出器は、入力信号の電力レベルの近似測定を行い、第１および第２の増幅段の利得は、近似測定された電力レベルと関連したそれぞれの第２の利得値へさらに調整される。
【０００５】
本発明の電力検出器は、電力レベルが所定の分解能レンジの範囲内に入るならば、入力信号の電力レベルを検出し測定する。実際には電力レベルが分解能レンジを上回るならば、検出器は飽和状態になり、検出器が信号を検出しても電力測定は行われない。入力信号がその電力レベルが分解能レンジの下限よりも低いという意味で非常に弱いならば、検出器は電力レベルを測定することはできず、その信号を検出することさえできない。したがって、分解能レンジは、入力信号のダイナミックレンジの部分をカバーするように選択され、検出器のそれぞれの出力の読み出しはその信号がダイナミックレンジ内のどこにあるかを示す。本発明の一実施形態において、第１の分解能レンジと第２の分解能レンジとは重複せず、第１の分解能レンジは第２の分解能レンジよりも大きく、すなわち、第１の検出器は第２の検出器よりも電力レベルが高い信号を検出する。入力信号が二つの分解能レンジの一方に位置することが決定されるならば、対応する検出器が電力レベルを与え、それにしたがって、システムの第１および第２の増幅段の利得は測定された電力レベルに関連したそれぞれの既知の利得値へ調整される。
【０００６】
２つの検出器がどちらも電力レベルを測定しない場合、コントローラは、その入力信号の電力の測定をダイナミックレンジの制限された部分へさらに絞り込む。確かに、第１および第２の検出器のそれぞれの出力を読み出すことにより、コントローラは電力値が分解能レンジに対してどの位置にあるか、すなわち、第１の分解能レンジの上値よりも大きいか、二つの分解能レンジの間にあるか、または、第２の分解能レンジの下値よりも小さいかをさらに推論する。次に、本発明のさらなるステップにおいて、コントローラは、第１および第２の増幅段の利得を、測定が絞り込まれたセグメント内に位置している電力レベルと関連した既知の値へ一時的に調整する。コントローラは２つの検出器の一方、好ましくは、信号の電力レベルが存在するダイナミックレンジの部分と重なり合う可能性がある新しい分解能レンジで動作する第２の検出器のセットアップをさらに変更する。この新しい分解能レンジは、その後、第２の検出器が電力レベルの測定を行うことを可能にする。次に、第１および第２の増幅段のそれぞれの利得は測定された電力レベルと関連した利得値へ調整される。第２の検出器が依然として電力レベルの測定を行う能力がない場合、その分解能レンジはさらに適合され、新たな測定が実行される。代替的に、第１および第２の増幅段は入力信号の電力レベルの近似値と関連した利得値に設定される。
【０００７】
本発明の一実施形態において、入力信号の電力レベルが所与の閾値より低いことが検出されたならば、アンテナダイバーシティが使用され、より強い電力値を与えるアンテナが入力信号の受信のために使用される。
【発明を実施するための最良の形態】
【０００８】
本発明は、一例として、本発明の例示的な実施形態に関する添付図面を参照して、さらに詳細に説明される。
【０００９】
全ての図面を通じて、同じ参照符号は類似または一致した特徴もしくは機能を示す。
【００１０】
図１は本発明のトランシーバシステムの受信機１００のブロック図を表し、その中で受信経路だけが示されている。受信機１００は、ＲＦ部とデジタル・アナログ変換器１１６および１２８とを具備し、デジタル・アナログ変換器１１６および１２８は図示されていないベースバンド部を伴う。ベースバンド部のハードウェア設計およびソフトウェア実施は当業者に周知である。受信機１００の設計はここに提示された設計に限定されることなく、ここで使用された構造要素以外の代替的な構造要素を備えた実施形態も同様に本発明の範囲に含まれることにも注意すべきである。
【００１１】
入力無線周波数信号Ｓｉｎは、アンテナ１０２および低雑音無線周波増幅器（ＬＮＡ）１０４を含む受信機１００の先端（ヘッドエンド）で最初に受信される。ＬＮＡ１０４は入力信号Ｓｉｎを増幅し、結果として得られる増幅された入力信号は、次に、同相信号を生成するためにミキサ１０６内で局部発振器信号と混合することにより、並びに、直交成分を生成するためにミキサ１１８内で９０度シフトされた同じ発振器信号と混合することにより、同相成分および直交成分に分離される。直交成分は同相成分に対して９０度位相がずれている。同相および直交の両成分は、ＤＡＣ１１６および１２８によってデジタル領域へ変換される前に、フィルタ１０８および１２０のペアと、ＡＣカップリング１１０，１２２の第１のペアと、可変利得増幅器（ＶＧＡ）１１２，１２４のペアと、ＡＣカップリング１１４，１２６の第２のペアとを通過する。
【００１２】
本発明の例示的な実施形態では、入力ＲＦ信号Ｓｉｎは、ＩＥＥＥ８０２．１１ａおよびｂの物理層仕様に規定されているように、２．４ＧＨｚもしくは５ＧＨｚの周波数帯に存在する。本発明は、入力ＲＦ信号Ｓｉｎが高ダイナミックレンジ、たとえば、１００ｄＢｍ、−９５ｄＢｍから５ｄＢｍまでを示し、信号Ｓｉｎが引き続いてどのように処理されるかに影響を与えるという前提に基づいている。確かに、ＤＡＣ１１６および１２８は制限されたダイナミックレンジに限られ、それぞれの電力検出レンジの範囲外にある入力信号を正確に処理できない。したがって、ＤＡＣ１１６または１２８へ供給される信号が弱過ぎる、または、強過ぎる場合、ＤＡＣ１１６および１２８の量子化ステップはデジタル領域におけるその信号の正確な表現を可能にしなくてもよい。したがって、入力ＲＦ信号Ｓｉｎの電力レベルＰｉｎを決定するための検出スキームの必要性が大きい。決定された電力レベルＰｉｎに基づいて、受信経路の特性はＤＡＣ１１６および１２８へ供給される信号の電力レベルを正確に調整するために設定され得る。この目的のため、受信機１００は、入力ＲＦ信号Ｓｉｎの測定された電力レベルＰｉｎに基づいてシステム１００の全体的な利得を制御する自動利得制御ＡＧＣおよびコントロール１３０を具備する。ＬＮＡ１０４、ＶＧＡ１１２，１１４、フィルタ１０８，１２０、並びに、ＡＣカップリング１１０，１１４，１２２および１２６は制御可能であり、それぞれの利得および可能であればその他の特性は、以下で明らかにされるように、希望値に設定される。ＡＣＧは、要素１０４，１０８−１１４および１２０−１２６のそれぞれの利得を個別に所定の値へ設定することにより、受信機１００の全体的な利得を調整する。
【００１３】
受信機１００はＡＣカップリング１１０および１２２に結合された第１の検出器Ｄ１を具備し、それは、電力Ｐｉｎが検出器Ｄ１の第１の分解能レンジの範囲内に入る場合に限り入力ＲＦ信号Ｓｉｎの電力レベルＰｉｎを測定する。システム１００はＡＣカップリング１１４および１２６に結合された第２の検出器Ｄ２をさらに具備し、電力Ｐｉｎが検出器Ｄ２の第２の分解能レンジの範囲内に入る場合に限り入力ＲＦ信号Ｓｉｎの電力レベルＰｉｎを測定する。図２は、本発明の電力レベル検出器の出力特性の一実施例、たとえば、技術的によく知られた受信信号強度表示を表す。図２は、検出器の入力へ供給された信号の電力レベルＰに基づいて検出器の出力電圧Ｖを表す。分解能レンジの下限ＰLの前では、検出器は入力信号を検出せず、出力電圧Ｖは比較的低く、実質的に一定値ＶL、可能であれば零である。検出器の状態は、ＰLよりも低い電力レベルの信号が入力へ供給されたとき、すなわち、検出器が信号を検出しないときには変化しない。入力信号の電力レベルＰが分解能レンジ［ＰL；ＰH］の範囲内にあるとき、検出器は電力レベルに直線的に比例する出力電圧を生成し、そのような場合には、入力信号の電力レベルＰが測定され得る。分解能レンジの上限ＰHを上回ると、検出器は飽和モードで動作し、比較的高い、実質的に一定値ＶLを与える。検出器はＰHよりも高い電力レベルＰの入力信号を検出するが、このような検出器は、ＰLよりも低く、ＰHよりも高い電力レベルＰを有する入力信号の電力レベルを測定できない。
【００１４】
図３は、入力ＲＦ信号Ｓｉｎのダイナミックレンジと、検出器Ｄ１およびＤ２のそれぞれの分解能レンジとを表す。検出器Ｄ１およびＤ２の分解能レンジは、ここでは、検出器Ｄ１およびＤ２へ供給されたそれぞれの入力信号の電力レベルの値ではなく、入力信号Ｓｉｎの電力レベルＰｉｎの値に関して与えられる。本実施形態では、検出器Ｄ１およびＤ２の分解能レンジは重複せず、検出器Ｄ２の分解能レンジは検出器Ｄ１の分解能レンジよりも低い。検出器Ｄ１は［−５２ｄＢｍ；−２５ｄＢｍ］の分解能レンジを有し、検出器Ｄ２は［−８６ｄＢｍ；−６０ｄＢｍ］の分解能レンジを有し、ＲＦ信号Ｓｉｎのダイナミックレンジは［−９５ｄＢｍ；５ｄＢｍ］である。数値は本発明の例示的な実施形態を説明することのみのためにここに示され、本発明の範囲を限定するために使用されるべきではない。
【００１５】
両方の検出器Ｄ１およびＤ２は図２を参照して説明されたように動作する。したがって、信号Ｓｉｎの電力レベルＰｉｎが−２５ｄＢｍよりも高いならば、すなわち、ゾーンＺ１に入るならば、両方の検出器Ｄ１およびＤ２は飽和する。電力Ｐｉｎが［−５０ｄＢｍ；−２５ｄＢｍ］の範囲内、すなわち、ゾーンＺ２に入るならば、検出器Ｄ１は電力Ｐｉｎを測定し、検出器Ｄ２は飽和する。電力Ｐｉｎが［−６０ｄＢｍ，−５０ｄＢｍ］の範囲内、すなわち、ゾーンＺ３に入るならば、検出器Ｄ１は信号Ｓｉｎを検出せず、検出器Ｄ２は飽和する。電力Ｐｉｎが［−８０ｄＢｍ；−６０ｄＢｍ］の範囲内、すなわち、ゾーンＺ４に入るならば、検出器Ｄ１は信号Ｓｉｎを検出せず、検出器Ｄ２は電力Ｐｉｎを測定する。電力Ｐｉｎが［−９５ｄＢｍ；−８６ｄＢｍ］の範囲内、すなわち、ゾーン５に入るならば、検出器Ｄ１およびＤ２はどちらも信号Ｓｉｎを検出しない。
【００１６】
上記のように、ＡＧＣは、入力信号Ｓｉｎの測定された電力レベルＰｉｎに基づいて受信機１００の個別の要素の利得を調整する。電力Ｐｉｎは、図４に示された例示的なアルゴリズムのような状態マシーンアルゴリズムに従って測定される。状態マシーンはＡＧＣもしくはコントロール１３０に収容されるか、あるいは、代替的に通信システムのベースバンド部のデジタルコントローラに収容される。本実施形態では、状態マシーンはコントロール１３０で実行される。
【００１７】
状態マシーンは、以下に示す通り、入力ワイヤレス信号Ｓｉｎの電力測定、および、受信機１００の利得の調整を可能にする。ＩＥＥＥ８０２．１１は、シグナリングシーケンスおよびデータを伴うプリアンブルを含む予め指定されたフォーマットを使用する通信信号の伝送を規定する。受信機１００の利得調整は、プリアンブルの受信中に実行されるので、受信機１００は、信号Ｓｉｎに含まれる後続のシグナリングシーケンスおよびデータを受信し解釈するために、適時に正確にセットアップされる。利得設定は、その結果、時間的にクリティカルであり、本発明は、電力レベルＰｉｎに基づいて受信機１００の利得を高速に設定する方法を提供する。
【００１８】
第１のステップ４１０において、コントロール１３０はＡＧＣをデフォルトセットアップにリセットする。ＡＧＣがリセットされたとき、ＡＧＣはシステム１００の全体的な利得を所定の初期値に設定し、ＬＮＡ１０４、フィルタ１０８，１２０、ＡＣカップリング１１０，１２２，１１４，１２６の個々の利得も同様にそれぞれの所定の初期値にリセットされる。次に、第２のステップ４２０において、コントロール１３０はＰｉｎがゾーンＺ２に入るかどうかを決定する。このため、コントロール１３０は検出器Ｄ１の出力を読み出す。電力ＰｉｎがＺ２に入るならば、検出器Ｄ１はステップ４６０において電力Ｐｉｎの測定を行い、それに従って、ステップ４７０において、コントロール１３０はシステム１００の全体的な利得を調整するためにＡＧＣを制御する。ＡＧＣは、入力信号Ｓｉｎの電力レベルＰｉｎの様々な値に対する要素１０８−１１４，１２０−１２６の個別の利得を示すルックアップテーブルを具備してもよい。代替的に、ＡＧＣは、測定された電力レベルＰｉｎに基づいて要素１０８−１１４および１２０−１２６のそれぞれの利得を決定するために、予め記憶されたアルゴリズムを実行してもよい。
【００１９】
電力ＰｉｎがゾーンＺ２に含まれないならば、コントロールは、ステップ４３０において、検出器Ｄ２の出力の読み出しから電力ＰｉｎがゾーンＺ４に位置するかどうかを決定する。検出器Ｄ２がステップ４６０において電力Ｐｉｎの測定を行うならば、すなわち、電力Ｐｉｎが検出器Ｄ２の分解能レンジの範囲内に入るならば、コントロール１３０は電力値ＰｉｎをＡＧＣへ送信し、電力Ｐｉｎに応じて、ＡＧＣは、上記のようにステップ４７０において、要素１１０−１１４，１２０−１２６の個々の利得を調整することにより全体的な利得を調整する。
【００２０】
電力ＰｉｎがゾーンＺ２にもＺ４にもない場合、コントロール１３０は、検出器Ｄ１およびＤ２のそれぞれの出力と状態、すなわち、飽和状態または非検出状態を読み出すことにより、電力ＰｉｎがゾーンＺ１、Ｚ３またはＺ５のどこに位置するかを決定する。電力ＰｉｎがゾーンＺ１、Ｚ３またはＺ５のどこに位置するかがコントロール１３０によって決定されると、コントロール１３０は、検出器Ｄ２が信号Ｓｉｎを検出することができるように検出器Ｄ２のセッティングを変更する。たとえば、コントロール１３０は、電力Ｐｉｎが存在するダイナミックレンジＺ１、Ｚ３またはＺ５と重なり合うように、検出器Ｄ２の分解能レンジをシフトし、縮小または拡大する。検出器Ｄ２の新しい分解能レンジはダイナミックレンジのゾーンＺ１、Ｚ３もしくはＺ５の全体、または、その一部をカバーし得る。
【００２１】
たとえば、コントロール１３０が、信号Ｓｉｎは−８６ｄＢｍよりも低い電力レベルＰｉｎを有する、すなわち、ＰｉｎがゾーンＺ５に含まれると決定した場合、コントロール１３０は検出器Ｄ２の分解能レンジを新しい値へ調整し、新しい分解能レンジ、たとえば、本実施形態におけるゾーンＺ７が、今度はゾーンＺ５の一部をカバーする。コントロール１３０はまた検出器Ｄ２の検出分解能を増大し、それによって、最終的な電力測定の精度を上げてもよい。たとえば、調整前に、検出器Ｄ２は±２ｄＢの分解能で動作し、調整後に、検出器Ｄ２は±１ｄＢの分解能で動作してもよい。
【００２２】
ステップ４８０において、ＡＧＣは、受信機１００の要素の全体的な利得を、ゾーン５内、または、新しい分解能レンジであるゾーン７に位置し、コントロール１３０によって選択された電力レベルと関連した値に一時的に設定する。コントロール１３０は、たとえば、ゾーン５の中間で電力レベルを自由に選択することができ、すなわち、コントロール１３０は、記憶された計算もしくは実験結果を使用して電力レベルを計算する。受信機１００の利得を新しい値に一時的に設定する目的は、受信機がステップ４１０で設定された初期値よりも最終的な利得に近い利得へ受信機１００を調整することである。
【００２３】
ＡＧＣがシステム１００の全体的な利得を調整すると、コントロール１３０は電力Ｐｉｎを測定する。このため、コントロール１３０は検出器Ｄ２の出力を読み出し、図２を参照して説明されたように、それから電力ＰｉｎがゾーンＺ６、Ｚ８またはゾーンＺ７に位置するかどうかを決定する。電力ＰｉｎがゾーンＺ７に入ることが決定された場合、コントロール１３０は検出器Ｄ２の出力で電力Ｐｉｎを読み出し、ＡＧＣはシステム１００の利得を測定された電力値Ｐｉｎと関連した既知の値へ調整する。電力ＰｉｎがゾーンＺ６またはゾーンＺ８のどちらかにある場合、コントロール１３０はステップ４５０および４８０を繰り返し、ゾーンＺ６またはＺ８をカバーするために検出器Ｄ２の分解能レンジを再度修正してもよい。代替的に、ＡＧＣはさらなる計算を用いることなく受信機１００の利得を最適な利得値へ調整してもよい。たとえば、コントロール１３０が電力ＰｉｎはゾーンＺ６にあると決定した場合、ＡＧＣは受信機１００の全体的な利得を、ゾーン６の電力値に対して最適であるとみなされる記憶された利得値または計算利得値へ調整してもよい。
【００２４】
本発明の別の実施形態では、上記の電力測定スキームはアンテナダイバーシティと組み合わされる。受信機１００は、この場合、異なる特性を持つ少なくとも２つのアンテナを備える。たとえば、アンテナの特性は、アンテナの一方が他方のアンテナよりも特有の入力信号Ｓｉｎをより良好に受信し、逆に、他方のアンテナが種々の送信および受信条件に対してより良好な受信を行うような特性を有する。本実施形態では、コントロール１３０はステップ４１０−４４０に記載されるような電力Ｐｉｎの電力測定を実行し、コントローラ１３０が電力Ｐｉｎは所定の閾値よりも低いと決定した場合、コントロール１３０は以下に説明されるようなアンテナダイバーシティを適用する。２つの検出器Ｄ１またはＤ２の一方が閾値よりも低い電力Ｐｉｎの測定を行った場合、受信機１００は他方のアンテナへ切り替わり、新たな電力測定が行われる。新たな測定が第１のアンテナを用いて最初に測定された電力値よりも低い電力値をもたらすならば、受信機１００は元通りに第１のアンテナへ切り替わる。ＡＧＣは受信機１００の利得を最初の測定電力値Ｐｉｎに関連した値へさらに調整する。第２のアンテナを用いる新たな測定が第１のアンテナを用いて測定された電力値よりも強い値を生じるならば、受信機１００はもとの第１のアンテナへ切り替わることがなく、ＡＧＣは受信機１００の利得を新たに測定された値に関連した値へ調整する。
【００２５】
代替的に、検出器Ｄ１およびＤ２のどちらも電力値Ｐｉｎの正確な測定を行わないが、電力Ｐｉｎがゾーン５に位置することをコントロール１３０が決定した場合、受信機１００は第２のアンテナへ切り替わり、状態マシーンのステップ４１０−４４０の測定を繰り返してもよい。検出器Ｄ１またはＤ２のいずれかが電力Ｐｉｎを測定する能力を備えているならば、受信機１００はもとの第１のアンテナへ切り替わらず、第２のアンテナを用いて動作する。代替的に、受信機１００がアンテナダイバーシティを適用し、第２のアンテナへ切り替わる前に、コントローラ１３０は電力Ｐｉｎのより正確な測定を行い、次に受信機１００を第２のアンテナへ切り替えさせてもよい。新たな測定が次に第２のアンテナを使用して実行され、最も強い電力を測定したアンテナが使用され、それに応じて利得が調整される。
【図面の簡単な説明】
【００２６】
【図１】本発明のシステムのブロック図である。
【図２】本発明の検出器の例示的な特性を説明する図である。
【図３】入力信号の例示的なダイナミックレンジを表す図である。
【図４】本発明の一実施形態による検出スキームの状態図のフローチャートである。
【図１】
2006522525.tif 000003
【図２】
2006522525.tif 000004
【図３】
2006522525.tif 000005
【図４】
2006522525.tif 000006
【国際調査報告】
2006522525.tif 000007
2006522525.tif 000008